(57)【要約】【課題】状態確認が容易な貨幣収納箱およびこれを備えた貨幣処理装置を提供する。【解決手段】貨幣を収納する紙幣収納箱本体６２と取っ手６３とを備えた貨幣収納箱３５であって、発光する発光部７７が取っ手６３に設けられている。取っ手６３に設けられた発光部７７の発光状態によってその状態を報知可能となるため、状態確認が容易となる。しかも、発光部７７が取っ手６３に設けられているため、報知が見逃されてしまう可能性を低減できる。【選択図】図１０
2020198126.tif 000002
【特許請求の範囲】
【請求項１】
装置本体から引き出し可能に構成される引出部と、
前記引出部に着脱可能に装着される複数の貨幣収納部と、
前記複数の貨幣収納部のそれぞれに対応して設けられる複数のランプと、
前記引出部が前記装置本体から引き出されたとき、前記貨幣収納部の状態に応じて前記ランプの発光状態を制御する制御部と
を具備する貨幣処理装置。
【請求項２】
前記制御部は、取り出し対象の前記貨幣収納部に対応するランプの発光状態と、取り出し対象でない前記貨幣収納部に対応するランプの発光状態とを異ならせることを特徴とする請求項１に記載の貨幣処理装置。
【請求項３】
前記制御部は、取り出し対象の前記貨幣収納部に対応するランプを発光させることを特徴とする請求項１または２に記載の貨幣処理装置。
【請求項４】
前記制御部は、取り出し対象の前記貨幣収納部が複数存在するときに、前記複数の貨幣収納部に対応する複数のランプを発光させることを特徴とする請求項１ないし３のいずれか１項に記載の貨幣処理装置。
【請求項５】
前記制御部は、取り出し対象の前記貨幣収納部に対応するランプを当該貨幣収納部の状態の種類に応じて発光状態を異ならせることを特徴とする請求項１ないし４のいずれか１項に記載の貨幣処理装置。
【請求項６】
前記制御部は、回収対象の前記貨幣収納部に対応するランプの発光状態と、回収対象でない前記貨幣収納部に対応するランプの発光状態とを異ならせることを特徴とする請求項１ないし５のいずれか１項に記載の貨幣処理装置。
【請求項７】
前記制御部は、異常を検知した前記貨幣収納部に対応するランプの発光状態と、異常を検知していない前記貨幣収納部に対応するランプの発光状態とを異ならせることを特徴とする請求項１ないし６のいずれか１項に記載の貨幣処理装置。
【発明の詳細な説明】
【技術分野】
【０００１】
本発明は、貨幣処理装置に関する。
【背景技術】
【０００２】
貨幣処理機には、筐体に対し引き出し可能なスタッカ支持装置に複数のカセットを支持する構造のものがある。このような貨幣処理機において、カセットを取り出す際には、筐体からスタッカ支持装置を引き出すことにより、一括して複数のカセットを水平方向に引き出した後、いずれかのカセットの取っ手を持って、このカセットをスタッカ支持装置から取り出すことになる（例えば特許文献１，２参照）。また、複数のカセットを鉛直方向に積み重ねて、貨幣処理機の筐体から一つずつ取り出し可能な貨幣処理機もある（例えば特許文献２参照）。なお、貨幣として硬貨を収納する硬貨カセットは、紙幣を収納する紙幣カセットよりも重量物となることが多く、水平方向に複数のカセットが並ぶ形式のものが多い。
【先行技術文献】
【特許文献】
【０００３】
【特許文献１】特開昭５８−３９３９２号公報
【特許文献２】特開平４−２９１４８６号公報
【発明の概要】
【発明が解決しようとする課題】
【０００４】
上記したカセット等の貨幣収納箱の貨幣処理装置本体からの取り出しおよび貨幣処理装置本体への装填操作は、通常、貨幣を補充する際や、貨幣を回収する際に行われるものであるが、異常時の対応として、貨幣収納箱を一時的に貨幣処理装置本体から取り出して異常を解消し、貨幣処理装置本体に再装填することもある。
【０００５】
ところで、貨幣収納箱の状態は、貨幣処理装置本体の操作部などへの操作によって貨幣処理装置本体の表示部に表示させることで知りうる情報となっており、貨幣収納箱を見てもその状態を確認することは難しい。
【０００６】
本発明は、このような事情を鑑みてなされたものであり、状態確認が容易な貨幣処理装置を提供する。
【課題を解決するための手段】
【０００７】
上記目的を達成するために、本発明に係る第１の態様は、装置本体から引き出し可能に構成される引出部と、前記引出部に着脱可能に装着される複数の貨幣収納部と、前記複数の貨幣収納部のそれぞれに対応して設けられる複数のランプと、前記引出部が前記装置本体から引き出されたとき、前記貨幣収納部の状態に応じて前記ランプの発光状態を制御する制御部とを具備する。
【発明の効果】
【０００８】
本発明によれば、状態確認が容易な貨幣処理装置を提供することができる。
【図面の簡単な説明】
【０００９】
【図１】本発明に係る貨幣処理装置の一実施形態である紙幣処理装置を含む出納機を示す斜視図である。
【図２】同紙幣処理装置を概略的に示す側断面図である。
【図３】同紙幣処理装置を概略的に示す側断面図であって、入金処理ルートを太線で示すものである。
【図４】同紙幣処理装置を概略的に示す側断面図であって、収納処理ルートを太線で示すものである。
【図５】同紙幣処理装置を概略的に示す側断面図であって、返却処理ルートを太線で示すものである。
【図６】同紙幣処理装置を概略的に示す側断面図であって、バラ出金処理ルートを太線で示すものである。
【図７】同紙幣処理装置を概略的に示す側断面図であって、束出金処理ルートを太線で示すものである。
【図８】同紙幣処理装置の引出体を示す斜視図であって、（ａ）は搬送部が搬送位置にある状態を、（ｂ）は搬送部が開放位置にある状態を示すものである。
【図９】同紙幣処理装置の引出体および紙幣収納箱を示す斜視図であって、（ａ）は搬送部が搬送位置にある状態を、（ｂ）は搬送部が開放位置にある状態を示すものである。
【図１０】本発明に係る貨幣収納箱の一実施形態である紙幣収納箱を示す斜視図である。
【図１１】本発明に係る貨幣収納箱の一実施形態である紙幣収納箱の収納状態にある取っ手およびその近傍を示す部分平面図である。
【図１２】本発明に係る貨幣収納箱の一実施形態である紙幣収納箱のプリズム部材を示す斜視図である。
【図１３】本発明に係る貨幣収納箱の一実施形態である紙幣収納箱のプリズム部材を示す図１２のＡ−Ａ断面図である。
【図１４】本発明に係る貨幣収納箱の一実施形態である紙幣収納箱のプリズム部材を示す図１２のＢ矢視図である。
【発明を実施するための形態】
【００１０】
本発明に係る一実施形態を図面を参照して以下に説明する。図１は、紙幣および硬貨等を取り扱う出納機１を示している。この出納機１は、銀行等の金融機関の店舗に設置されて店舗全体の貨幣処理を管理するものである。出納機１は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００１１】
出納機１は、紙幣についての入出金処理等を行う紙幣処理装置１１と、紙幣の特に新券についての出金処理等を行う新券処理装置１２と、硬貨についての入出金処理等を行う硬貨処理装置１３とが左右に並設されて構成されており、硬貨処理装置１３の上部に、操作者によって操作入力がなされる操作部１４と、操作者に対して表示を行う表示部１５とを備えて出納機１を制御する制御装置部１６が設けられている。
【００１２】
本発明に係る貨幣処理装置の一実施形態である紙幣処理装置１１の全体構成を図２を参照して説明する。紙幣処理装置１１は、その前面側の上部に、機外からバラ紙幣が投入されるとともに機内から出金用のバラ紙幣が繰り出される入出金部２１が設けられている。入出金部２１は、その底部を構成する載置板２２が後下がりに傾斜した姿勢で昇降可能に設けられており、その奥側の支承面２３が載置板２２と直交するように後上がりに傾斜して設けられている。入出金部２１には、紙幣が長さ方向を左右方向に沿わせた姿勢で載置板２２上に集積されることになり、紙幣は載置板２２の傾斜により後端縁が支承面２３に当接する。入出金部２１の上部の後側には、載置板２２上に集積されたバラ紙幣を上端のものから一枚ずつ分離して所定の間隔をあけて機内へ繰り出すとともに機内からの紙幣を入出金部２１に繰り出す繰出部２１ａが設けられている。
【００１３】
入出金部２１の下側には、紙幣処理装置１１の前面位置に、受け付け不可と判定された入金リジェクト紙幣が機内から繰り出される入金リジェクト部２６が設けられている。入出金部２１および入金リジェクト部２６の後側には、出金不可と判定された出金リジェクト紙幣を収納する出金リジェクト部２７が設けられており、出金リジェクト部２７の後方の下部には紙幣を識別する識別部２８が設けられている。
【００１４】
また、出金リジェクト部２７の後方の上部には紙幣を整列させて所定の結束枚数集積させる整列部３０が設けられており、この整列部３０の上部には、整列部３０で集積された結束枚数の紙幣に結束テープを巻き回して小束紙幣とする結束部３１が設けられている。この結束部３１の前側には結束部３１で作成された小束紙幣を機外に繰り出す束出金部３２が設けられている。
【００１５】
また、紙幣処理装置１１の下部には、本発明に係る貨幣収納箱の一実施形態である紙幣収納箱３５が、複数具体的には５個、上下左右の位置を合わせて水平直線状の紙幣収納箱配列方向に配列されている。この紙幣収納箱配列方向は、紙幣処理装置１１の前後方向に沿っている。最も奥側に配置された紙幣収納箱３５、奥から２番目に配置された紙幣収納箱３５および奥から３番目に配置された紙幣収納箱３５は、いずれも入金確定後の所定の単一金種のバラ紙幣を上下に集積させた状態で収納するものであり、前から２番目に配置された紙幣収納箱３５は、入金確定後のバラ紙幣を金種混合で上下に集積させた状態で収納するものである。最も前側に配置された紙幣収納箱３５は、入金された入金確定前のバラ紙幣を上下に集積させた状態で一時貯留するものである。
【００１６】
紙幣収納箱３５の上部には、その内部に紙幣を繰り出すとともに内部の紙幣を上端のものから一枚ずつ分離して繰り出す繰出部３５ａと、繰出部３５ａで繰り出す紙幣を検知する繰出検知センサ３５ｂとが設けられている。繰出検知センサ３５ｂは繰出部３５ａの駆動中に紙幣の停滞を検知することでジャム等の繰り出し異常も検知する。紙幣収納箱３５の内部には、紙幣を集積させる昇降可能なエレベータ３５ｃと、収納している紙幣が満杯に近いニアフル状態にあることを検知するニアフル検知センサ３５ｄと、収納している紙幣がないエンプティ状態にあることを検知するエンプティ検知センサ３５ｅとが設けられている。
【００１７】
紙幣処理装置１１の内部には、紙幣を搬送する紙幣搬送路４１が各部を適宜繋ぐように設けられている。紙幣搬送路４１は、繰出部２１ａから後上がりに延出した後、後下がりに延出し、さらに鉛直下方に延出し、その後、前側に一端延出した後、下側にて後側に折り返し、後方に延出し、途中上側に凸状に屈曲して識別部２８を通って下方に若干延出する搬送路４１Ａと、搬送路４１Ａに連続して下側に若干延出した後に前方に延出し前端から下方に若干延出する搬送路４１Ｂと、搬送路４１Ｂに連続するように最も前側に配置された紙幣収納箱３５に設けられた搬送路４１Ｃとを有している。
【００１８】
また、紙幣搬送路４１は、搬送路４１Ｂの途中から分岐する搬送路４１Ｄと、搬送路４１Ｄに連続するように最も奥側に配置された紙幣収納箱３５に設けられた搬送路４１Ｅと、搬送路４１Ｂの搬送路４１Ｄよりも最も前側に配置された紙幣収納箱３５側から分岐する搬送路４１Ｆと、搬送路４１Ｆに連続するように奥から２番目に配置された紙幣収納箱３５に設けられた搬送路４１Ｇと、搬送路４１Ｂの搬送路４１Ｆよりも最も前側に配置された紙幣収納箱３５側から分岐する搬送路４１Ｈと、搬送路４１Ｈに連続するように奥から３番目に配置された紙幣収納箱３５に設けられた搬送路４１Ｉと、搬送路４１Ｂの搬送路４１Ｈよりも最も前側に配置された紙幣収納箱３５側から分岐する搬送路４１Ｊと、搬送路４１Ｊに連続するように前から２番目に配置された紙幣収納箱３５に設けられた搬送路４１Ｋと、搬送路４１Ｂの搬送路４１Ｊよりも最も前側に配置された紙幣収納箱３５側から分岐して上方に延出する搬送路４１Ｌと、搬送路４１Ｌに繋がって屈曲し後方に延出して搬送路４１Ａの入出金部２１と識別部２８との間に繋がる搬送路４１Ｍとを有している。
【００１９】
また、紙幣搬送路４１は、搬送路４１Ｂの搬送路４１Ｊの分岐位置と搬送路４１Ｌの分岐位置との間位置から分岐して上方に延出する搬送路４１Ｎと、搬送路４１Ｎに繋がって上方に延出し搬送路４１Ｍの途中位置に繋がる搬送路４１Ｏと、搬送路４１Ｍにおける搬送路４１Ｏの接続位置と搬送路４１Ａへの接続位置との間位置から分岐して入金リジェクト部２６に繋がる搬送路４１Ｐと、搬送路４１Ａにおける搬送路４１Ｍの接続位置と入出金部２１との間位置から分岐し前方に延出して搬送路４１Ｐの途中位置に繋がる搬送路４１Ｑと、搬送路４１Ｐにおける搬送路４１Ｑの接続位置と入金リジェクト部２６との間位置から上方に分岐し後上がりに延出して出金リジェクト部２７に繋がる搬送路４１Ｒとを有している。
【００２０】
また、紙幣搬送路４１は、搬送路４１Ａにおける入出金部２１と搬送路４１Ｑの分岐位置との間位置と、搬送路４１Ｍの接続位置と識別部２８との間位置とを繋ぐ搬送路４１Ｓと、搬送路４１Ａにおける搬送路４１Ｓの接続位置と入出金部２１との間位置から後方に分岐して整列部３０に繋がる搬送路４１Ｔとを有している。搬送路４１Ｓには、紙幣の表裏を反転させる表裏反転部４３が設けられている。
【００２１】
ここで、上記した搬送路４１Ａ〜４１Ｍは正逆両方向に紙幣を搬送可能となっており、搬送路４１Ｎ〜４１Ｔは一方向にのみ紙幣を搬送可能となっている。
【００２２】
図３の太線は、機外から入出金部２１に投入されたバラ紙幣を搬送しつつ識別計数する入金処理のルートを示している。つまり、入出金部２１の載置板２２上にバラ紙幣が載置されて、操作部１４に入金処理を行う旨の入力操作がなされると、繰出部２１ａが入出金部２１の載置板２２上の紙幣を上端のものから順に一枚ずつ分離して所定の間隔をあけて繰り出すことになり、繰り出した紙幣を、搬送路４１Ａで搬送することになる。搬送路４１Ａでの搬送中に識別部２８が紙幣を識別計数することになり、識別部２８で受け入れ可能と判定した紙幣（取り扱い可能な金種の紙幣）を、図３に太実線で示すように、搬送路４１Ｂ，４１Ｃで最も前側に配置された紙幣収納箱３５に搬送する一方、識別部２８で受け入れ不可と判定した紙幣を、図３に太破線で示すように、搬送路４１Ｂから搬送路４１Ｎ，４１Ｏ，４１Ｍ，４１Ｐで入金リジェクト部２６に搬送する。これにより、受け入れ可能な紙幣を最も前側に配置された紙幣収納箱３５に一時貯留し、受け入れ不可な紙幣を入金リジェクト部２６に放出する。
【００２３】
図４の太線は、入金処理にて最も前側に配置された紙幣収納箱３５に一時貯留した紙幣を、操作部１４への承認操作が入力されたことを条件に、確定して、奥から１番目、２番目、３番目および４番目に配置された紙幣収納箱３５の対応するものに収納する収納処理のルートを示している。つまり、最も前側に配置された紙幣収納箱３５の紙幣を上端のものからその繰出部３５ａが繰り出すことになり、繰り出した紙幣を、図４に太実線で示すように、搬送路４１Ｃ，４１Ｂ，４１Ｌ，４１Ｍ，４１Ａで識別部２８に搬送し、識別部２８の識別結果に基づいて、搬送路４１Ｂ，４１Ｄ〜４１Ｋの対応するものによって、奥から１番目、２番目、３番目および４番目に配置された紙幣収納箱３５の対応するものに搬送する。これにより、奥から１番目、２番目、３番目および４番目に配置された紙幣収納箱３５の対応するものに紙幣を収納する。なお、収納処理にて識別部２８で重送等と識別した紙幣については、図４に太破線で示すように、搬送路４１Ｂ，４１Ｎ，４１Ｏ，４１Ｍ，４１Ｐ，４１Ｒによって出金リジェクト部２７に搬送し、出金リジェクト部２７に収納する。
【００２４】
図５の太線は、入金処理にて最も前側に配置された紙幣収納箱３５に一時貯留した紙幣を、操作部１４へのキャンセル操作が入力されたことを条件に、入出金部２１に繰り出す返却処理のルートを示している。つまり、最も前側に配置された紙幣収納箱３５の紙幣を上端のものから繰出部３５ａが繰り出すことになり、繰り出した紙幣を、搬送路４１Ｃ，４１Ｂ，４１Ａによって入出金部２１に搬送する。これにより、入出金部２１に紙幣を返却する。
【００２５】
図６の太線は、操作部１４へ入力されたバラ出金操作に基づいて、最も奥側に配置された紙幣収納箱３５、奥から２番目に配置された紙幣収納箱３５および奥から３番目に配置された紙幣収納箱３５の指定された金種のものから紙幣を出金するバラ紙幣出金処理のルートを示している。つまり、バラ出金処理では、図６に太実線で示すように、奥から１番目、２番目および３番目に配置された紙幣収納箱３５の指定された金種のものに収納されている紙幣を上端のものから繰出部３５ａが繰り出すことになり、繰り出した紙幣を、搬送路４１Ｄ〜４１Ｉの対応するものと、搬送路４１Ｂ，４１Ａとで識別部２８に搬送し、識別部２８の識別結果に基づいて、表裏反転が必要でないものは搬送路４１Ａで入出金部２１に、表裏反転が必要なものは搬送路４１Ｓを介して表裏反転部４３で表裏反転させた後、搬送路４１Ａで入出金部２１に、それぞれ搬送する。これにより、出金操作に基づくバラ紙幣を入出金部２１に繰り出す。なお、出金処理にて識別部２８で重送等と識別した紙幣については、図６に太破線で示すように、搬送路４１Ａ，４１Ｑ，４１Ｐ，４１Ｒによって出金リジェクト部２７に搬送し、出金リジェクト部２７に収納する。
【００２６】
図７の太線は、操作部１４へ入力された束出金操作に基づいて、奥から１番目、２番目および３番目に配置された紙幣収納箱３５の指定された金種のものからの紙幣を結束して出金する束出金処理のルートを示している。つまり、束出金処理では、図７に太実線で示すように、奥から１番目、２番目および３番目に配置された紙幣収納箱３５のうち指定された金種のものに収納されている紙幣を上端のものから繰出部３５ａが繰り出すことになり、繰り出した紙幣を、搬送路４１Ｄ〜４１Ｉの対応するものと、搬送路４１Ｂ，４１Ａとで識別部２８に搬送し、識別部２８の識別結果に基づいて、表裏反転が必要でないものは搬送路４１Ａ，４１Ｔで整列部３０に、表裏反転が必要なものは搬送路４１Ｓを介して表裏反転部４３で表裏反転させた後、搬送路４１Ａ，４１Ｔで整列部３０に、それぞれ搬送する。これにより、指定された単一金種の紙幣を結束単位枚数だけ整列部３０に繰り出す。そして、結束部３１で結束を行い、束出金部３２に繰り出す。このような処理を指定された金種毎に指定された束数分行うことになる。なお、束出金処理にて識別部２８で重送等と識別した紙幣については、図７に太破線で示すように、搬送路４１Ａ，４１Ｑ，４１Ｐ，４１Ｒによって出金リジェクト部２７に搬送し、出金リジェクト部２７に収納する。
【００２７】
紙幣処理装置１１は、装置主体部４５と、装置主体部４５から紙幣処理装置１１の前後方向に沿って前面側に引き出し可能な引出体４６と、引出体４６に対し着脱可能な複数具体的には５個の紙幣収納箱３５とで構成されている。紙幣処理装置１１は、その上部にある、入出金部２１、入金リジェクト部２６、出金リジェクト部２７、識別部２８、整列部３０、結束部３１、束出金部３２、表裏反転部４３および搬送路４１Ａ，４１Ｍ，４１Ｏ〜４１Ｔが装置主体部４５内に配置されており、その下部にある、搬送路４１Ｂ，４１Ｄ，４１Ｆ，４１Ｈ，４１Ｊ，４１Ｌ，４１Ｎが、引出体４６内に配置されている。さらに、搬送路４１Ｅは、引出体４６に対し着脱可能な最も奥側に配置された紙幣収納箱３５内に、搬送路４１Ｇは奥から２番目に配置された紙幣収納箱３５内に、搬送路４１Ｉは奥から３番目に配置された紙幣収納箱３５内に、搬送路４１Ｋは前から２番目に配置された紙幣収納箱３５内に、搬送路４１Ｃは最も前側に配置された紙幣収納箱３５内に、それぞれ配置されている。
【００２８】
引出体４６は、図８に示すように、装填部４７と、この装填部４７の上方に開閉可能に設けられた搬送部４８とを有している。図９に示すように、装填部４７には、複数の紙幣収納箱３５が水平直線状の紙幣収納箱配列方向Ｘに一列状に配列して装填されることになる。この紙幣収納箱配列方向Ｘは、引出体４６の装置主体部４５に対する引き出し・装填方向と一致する。この装填部４７の上方の搬送部４８は、全ての紙幣収納箱３５に対して紙幣を搬送する。搬送部４８には、図２に示す上記した搬送路４１Ｂ，４１Ｄ，４１Ｆ，４１Ｈ，４１Ｊ，４１Ｌ，４１Ｎが設けられている。ここで、紙幣処理装置１１の全ての紙幣収納箱３５を除く部分が紙幣処理装置本体５０（貨幣処理装置本体）となっている。つまり、紙幣処理装置本体５０は、装置主体部４５と引出体４６とからなっている。
【００２９】
装填部４７は、図８に示すように、前壁部５１と、前壁部５１の左端側の略全高さ範囲から後方に延出するベース壁部５２と、前壁部５１の右端側の下部から後方に延出する着脱壁部５３と、前壁部５１と平行をなしてベース壁部５２および着脱壁部５３に連結される後壁部５４と、これら前壁部５１、ベース壁部５２、着脱壁部５３および後壁部５４で囲まれる空間の下部を閉塞する図示略の底板部とを有している。ここで、前壁部５１は、紙幣処理装置１１の前面を構成する。
【００３０】
後壁部５４には、上下方向中間位置に受板５５が支持軸５５ａで、鉛直方向に沿う状態と後上がりに傾斜して延出する状態との間で揺動するように取り付けられている。ベース壁部５２の上部には、図８（ｂ）に示すように、前後方向に沿う支持軸５７ａを有する２カ所のヒンジ５７を介して搬送部４８が揺動可能に連結されている。
【００３１】
また、装填部４７には、図９に示す紙幣収納箱３５が個別に装填される、図８に示す複数の装填空間５８を仕切る複数の仕切壁部５９が、前壁部５１と後壁部５４との間に、これらに平行に設けられている。各装填空間５８は、紙幣収納箱配列方向Ｘの長さが全て同じに設定されており、この紙幣収納箱配列方向Ｘに直交する水平な紙幣収納箱配列直交水平方向Ｙの長さも全て同じに設定されている。また、各装填空間５８は、紙幣収納箱配列直交水平方向Ｙの位置を一致させており、紙幣収納箱配列方向Ｘに等間隔で形成されている。なお、各装填空間５８は、紙幣収納箱配列方向Ｘの長さよりも紙幣収納箱配列直交水平方向Ｙの長さの方が大きく設定されている。
【００３２】
ここで、図８（ｂ）に示すように、ヒンジ５７の支持軸５７ａが上側に設けられることになるベース壁部５２の高さよりも、支持軸５７ａとは反対側の着脱壁部５３の高さの方が上記したように低くなっており、これにより、複数の装填空間５８は、着脱壁部５３の上側において側方に大きく開口している。
【００３３】
仕切壁部５９は、着脱壁部５３への接合側が着脱壁部５３と同高さとなっており、ベース壁部５２への接合側が着脱壁部５３よりも高くベース壁部５２よりも若干低い高さとなっている。これにより、仕切壁部５９は、着脱壁部５３側の上部がベース壁部５２の上部と着脱壁部５３の上部とを結ぶように斜めに切り欠かれた形状をなしている。言い換えれば、搬送部４８を軸支する側のベース壁部５２の上端部と、上側が開放された着脱壁部５３の上端部とを結ぶ線の近傍付近に仕切壁部５９の上端縁が形成されている。このような装填部４７には、前壁部５１側の下部に、装置主体部４５からの引き出し時に床面上で転動するキャスタ６０が設けられている。
【００３４】
装填部４７の底部には、装填空間５８のそれぞれに臨んで、図２に示すコネクタ４７ｆが設けられており、全ての紙幣収納箱３５のそれぞれにも、装填空間５８に装填されることで装填部４７のコネクタ４７ｆに接続されるコネクタ３５ｆが設けられている。全ての紙幣収納箱３５はそれぞれのコネクタ３５ｆが装填部４７のコネクタ４７ｆに接続状態になることで、給電されると共に制御装置部１６によって制御される状態になる。また、いずれの紙幣収納箱３５も、装填空間５８から取り出されると、それぞれのコネクタ３５ｆが装填部４７のコネクタ４７ｆから外れることになる。このように取り出された状態では、紙幣収納箱３５が給電されることはなく、制御装置部１６によって制御されることもない。
【００３５】
図８（ｂ）に示すように、装填部４７の一縁であるベース壁部５２の上部には前後二カ所に上記したヒンジ５７が取り付けられており、これらヒンジ５７に上記した搬送部４８が取り付けられている。言い換えれば、搬送部４８が、装填部４７の一縁にあって、複数の紙幣収納箱３５の紙幣収納箱配列方向Ｘに沿うヒンジ５７の支持軸５７ａに軸支されて、装填部４７に対し揺動可能となっている。
【００３６】
搬送部４８は、ベース壁部５２と着脱壁部５３との間の上方位置で水平に配置される図８（ａ）に示す搬送位置と、ベース壁部５２の上方に延出する姿勢となって全ての装填空間５８の上方を開放する図８（ｂ）に示す開放位置との間で揺動可能となっている。搬送位置にあるとき、搬送部４８は、図９（ａ）に示す全ての紙幣収納箱３５の上方を覆ってこれらに対して紙幣を搬送可能となる。開放位置にあるとき、図９（ｂ）に示すように全ての紙幣収納箱３５の上方を開放する。なお、搬送部４８は、図８（ａ），図９（ａ）に示すように水平に配置される搬送位置と、図８（ｂ），図９（ｂ）に示す開放位置との間の揺動角度が、９０度より大きくなっている。引出体４６と装置主体部４５とは、搬送部４８が搬送位置にあるときに、装置主体部４５に対し衝突することなく装填可能となり、搬送部４８が開放位置にあるときには、装置主体部４５に対し装填しようとすると搬送部４８が装置主体部４５に衝突する形状関係になっている。
【００３７】
図９に示す全ての紙幣収納箱３５は、大きさを含む外観形状が全て同じとなっており、これら共通形状の紙幣収納箱３５は、図８に示す対応する装填空間５８に装填されることで、図９に示すように紙幣収納箱配列方向Ｘ、紙幣収納箱配列直交水平方向Ｙおよび上下方向の全方向に位置決めされることになる。このように位置決めされた状態で、全ての紙幣収納箱３５が、上下方向の位置を一致させ、紙幣収納箱配列直交水平方向Ｙの位置を一致させるとともに、全ての隣り合うもの同士の隙間の紙幣収納箱配列方向Ｘの長さを同等にする。これら紙幣収納箱３５は、紙幣収納箱配列方向Ｘの長さよりも紙幣収納箱配列直交水平方向Ｙの長さの方が長くなっている。
【００３８】
共通形状の全ての紙幣収納箱３５は、図１０に示すように、貨幣としての紙幣を内部に収納する貨幣収納箱本体としての紙幣収納箱本体６２（貨幣収納箱本体）と、その上部の揺動可能なハンドル状の取っ手６３とを備えている。紙幣収納箱本体６２には、上部の紙幣収納箱配列方向Ｘの一側に紙幣入出口６５が設けられており、上部の紙幣収納箱配列方向Ｘの中間部および逆側に、下方に凹む収納凹部６６が設けられている。収納凹部６６は、紙幣収納箱配列方向Ｘにおいて紙幣入出口６５とは反対方向に抜ける形状となっている。紙幣入出口６５の内側には、図２に示す搬送路４１Ｃ，４１Ｅ，４１Ｇ，４１Ｉ，４１Ｋの対応するものが配置されることになり、装置主体部４５に対する紙幣収納箱３５の紙幣の入出は、それぞれの紙幣入出口６５を介して行われる。
【００３９】
全ての紙幣収納箱３５は、図９（ｂ）に示すように、紙幣入出口６５を引出体４６の引き出し方向の前側つまり前壁部５１側にし、収納凹部６６を引出体４６の引き出し方向の後側つまり後壁部５４側にする向きで装填部４７に収納される。
【００４０】
図１０に示すように、紙幣収納箱本体６２の収納凹部６６に、取っ手６３が設けられている。取っ手６３は、一対の直線状の平行な基端延出部７１，７２と、これら基端延出部７１，７２の長さ方向の端部同士をこれらに直交するように結ぶ直線状の連結部７３とを有しており、連続するコ字状をなしている。取っ手６３は、一対の基端延出部７１，７２の連結部７３とは反対の一端側が紙幣収納箱本体６２の収納凹部６６の紙幣入出口６５側に回転可能に連結されており、連結部７３は、一対の基端延出部７１，７２の回転中心とは反対の他端側同士を結んでいる。取っ手６３は、紙幣収納箱本体６２の紙幣収納箱配列方向Ｘの中央側に回転中心を配置している。
【００４１】
取っ手６３は、回転中心から上方に延出する立位姿勢で使用されるもので、この姿勢にあるとき、紙幣収納箱本体６２から上方に突出する。取っ手６３は、非使用時には、図１０に示すように紙幣入出口６５とは反対側に倒されて収納凹部６６に収納される。このように、取っ手６３は、紙幣収納箱本体６２に対し収納および突出可能に設けられている。
【００４２】
図１１に示すように、紙幣収納箱本体６２には、収納凹部６６に収納された収納状態の取っ手６３の一方の基端延出部７１の連結部７３とは反対側の端部に対向する位置に、光源であるＬＥＤランプ７４が設けられている。言い換えれば、光源であるＬＥＤランプ７４は、紙幣収納箱本体６２において、一対の基端延出部７１，７２のうちの一方の基端延出部７１側に設けられている。
【００４３】
取っ手６３は、透明ではない材料からなる取っ手本体７５と、取っ手本体７５に嵌め込まれた透明材料からなるプリズム部材７６とを有している。取っ手６３に設けられたプリズム部材７６は、紙幣収納箱本体６２に設けられた光源であるＬＥＤランプ７４からの光を入射させて発光するものであり、ＬＥＤランプ７４とで発光部７７を構成している。発光部７７は、ＬＥＤランプ７４が給電されて発光すると、この光でプリズム部材７６を紙幣収納箱３５の外に向け発光させる。つまり、発光部７７は給電されて紙幣収納箱３５の外に向けて発光する。発光部７７は、そのプリズム部材７６が取っ手６３に設けられている。
【００４４】
取っ手本体７５は、基端延出部７１を構成する直線状の基端本体部８１と、基端延出部７２を構成する直線状の基端本体部８２と、連結部７３を構成する直線状の連結本体部８３とを有しており、連続するコ字状をなしている。取っ手本体７５には、取っ手６３が収納凹部６６側に倒されて紙幣収納箱本体６２に収納された収納状態で上側に向いて露出する露出面８４から下方に凹む嵌合溝部９０が形成されている。嵌合溝部９０は、基端本体部８１に配置された直線状の基端溝部９１と、基端本体部８２に配置された直線状の基端溝部９２と、連結本体部８３に配置された直線状の連結溝部９３とを有しており、連続するコ字状をなしている。基端溝部９１の連結溝部９３側の先端部に、先端側ほど他方の基端溝部９２に近づくように傾斜する傾斜部９４が設けられており、基端溝部９２の連結溝部９３側の先端部に、先端側ほど他方の基端溝部９１に近づくように傾斜する傾斜部９５が設けられている。
【００４５】
プリズム部材７６は、基端溝部９１に嵌合される直線状の一側発光部１０１と、基端溝部９２に嵌合される直線状の他側発光部１０２と、連結溝部９３に嵌合される直線状の中間発光部１０３とを有しており、連続するコ字状をなしている。言い換えれば、プリズム部材７６は、取っ手６３の一方の基端延出部７１、連結部７３および他方の基端延出部７２に連続的に埋設されている。
【００４６】
図１２に示すように、一側発光部１０１の中間発光部１０３側の先端部には、先端側ほど他側発光部１０２に近づくように傾斜する傾斜面１０４が設けられている。他側発光部１０２の中間発光部１０３側の先端部には、先端側ほど一側発光部１０１に近づくように傾斜する傾斜面１０５が設けられている。プリズム部材７６は、図１１に示すように取っ手６３が収納凹部６６に倒されて紙幣収納箱本体６２に収納された状態で上側に向いて露出する露出面１０６が、取っ手本体７５の露出面８４とほぼ面一となっている。露出面８４，１０６が、取っ手６３において紙幣収納箱本体６２に収納された状態での上方に露出する露出面１０８を構成している。
【００４７】
プリズム部材７６は、図１２，図１３に示すように、一方の一側発光部１０１の中間発光部１０３とは反対側の端面１１１が、一側発光部１０１の長さ方向に直交している。また、図１２，図１４に示すように、他方の他側発光部１０２の中間発光部１０３とは反対側の端面１１２が、この他側発光部１０２の長さ方向に対し直交する方向に沿っており、この他側発光部１０２の長さ方向において、露出面１０６側ほど長さ方向外側に位置するように傾斜している。端面１１２は他側発光部１０２の長さ方向に対し４５°傾斜している。プリズム部材７６は、図１１に示すように取っ手本体７５の嵌合溝部９０に嵌合されると、端面１１１が、紙幣収納箱本体６２のＬＥＤランプ７４に近接して配置される。プリズム部材７６は、取っ手本体７５の嵌合溝部９０に嵌合されると、露出面１０６とは反対側の裏面が、嵌合溝部９０の底面に対向する。
【００４８】
取っ手６３が収納凹部６６に収納された状態で、取っ手６３に埋設されたプリズム部材７６は、端面１１１がＬＥＤランプ７４に対向することになり、このＬＥＤランプ７４の光を端面１１１から端面１１１に垂直に入射させる。端面１１１から入射された光は、図１１，図１３に二点鎖線Ｚで示すように、一側発光部１０１の長さ方向に進み、図１１に二点鎖線Ｚで示すように、傾斜面１０４で反射して、中間発光部１０３の長さ方向に進み、傾斜面１０５で反射して、他側発光部１０２の長さ方向に進んで、図１４に二点鎖線Ｚで示すように端面１１２で反射して露出面１０６から出射する。なお、取っ手６３が収納凹部６６に収納された状態から起こされると、端面１１１がＬＥＤランプ７４からの光の入射方向に対して傾斜することになり、入射された光が傾斜面１０４側に進行することはなくなる。
【００４９】
プリズム部材７６は、露出面１０６側に露出面１０６から凹む凹溝１２１が複数形成されている。一側発光部１０１に、その長さ方向に等間隔で複数具体的には３カ所の凹溝１２１が設けられており、これら凹溝１２１は、露出面１０６に平行且つ一側発光部１０１の長さ方向に直交して延在している。他側発光部１０２にも、その長さ方向に等間隔で複数具体的には３カ所の凹溝１２１が設けられており、これら凹溝１２１は、露出面１０６に平行且つ他側発光部１０２の長さ方向に直交して延在している。中間発光部１０３にも、その長さ方向に等間隔で複数具体的には５カ所の凹溝１２１が設けられており、これら凹溝１２１は、露出面１０６に平行且つ中間発光部１０３の長さ方向に直交して延在している。
【００５０】
凹溝１２１は、いずれも、露出面１０６と平行な底面１２２と、プリズム部材７６内の光の進行方向において底面１２２の端面１１１側の端縁部と露出面１０６とを結ぶ上流側壁面１２３と、プリズム部材７６内の光の進行方向において底面１２２の端面１１２側の端縁部と露出面１０６とを結ぶ下流側壁面１２４とを有している。
【００５１】
図１２，図１３に示すように、一側発光部１０１に配置された凹溝１２１は、下流側壁面１２４が一側発光部１０１の長さ方向に直交している。一側発光部１０１に配置された凹溝１２１は、上流側壁面１２３が、一側発光部１０１の長さ方向に対し直交する方向に沿っており、露出面１０６側ほど光の進行方向において端面１１１側に位置するように傾斜している。これらの上流側壁面１２３は一側発光部１０１の長さ方向に対し４５°に傾斜している。一側発光部１０１に配置された凹溝１２１は、取っ手６３が紙幣収納箱本体６２に収納された状態でＬＥＤランプ７４から入射されてプリズム部材７６内で端面１１１から端面１１２に向けて進む光の一部を上流側壁面１２３が拡散させて主に一側発光部１０１を発光させる。
【００５２】
図１２，図１４に示すように、他側発光部１０２に配置された凹溝１２１は、下流側壁面１２４が他側発光部１０２の長さ方向に直交している。他側発光部１０２に配置された凹溝１２１は、上流側壁面１２３が、他側発光部１０２の長さ方向に対し直交する方向に沿っており、露出面１０６側ほど光の進行方向において端面１１１側に位置するように傾斜している。これらの上流側壁面１２３は他側発光部１０２の長さ方向に対し４５°に傾斜している。他側発光部１０２に配置された凹溝１２１は、取っ手６３が紙幣収納箱本体６２に収納された状態でＬＥＤランプ７４から入射されてプリズム部材７６内で端面１１１から端面１１２に向けて進む光の一部を上流側壁面１２３が拡散させて主に他側発光部１０２を発光させる。
【００５３】
中間発光部１０３に配置された凹溝１２１は、下流側壁面１２４が中間発光部１０３の長さ方向に直交している。中間発光部１０３に配置された凹溝１２１は、上流側壁面１２３が、中間発光部１０３の長さ方向に対し直交する方向に沿っており、露出面１０６側ほど光の進行方向において端面１１１側に位置するように傾斜している。これらの上流側壁面１２３は中間発光部１０３の長さ方向に対し４５°に傾斜している。中間発光部１０３に配置された凹溝１２１は、取っ手６３が紙幣収納箱本体６２に収納された状態でＬＥＤランプ７４から入射されてプリズム部材７６内で端面１１１から端面１１２に向けて進む光の一部を上流側壁面１２３が拡散させて主に中間発光部１０３を発光させる。
【００５４】
以上により、取っ手６３が紙幣収納箱本体６２に収納された状態でＬＥＤランプ７４からプリズム部材７６に入射された光はプリズム部材７６を全体的に発光させる。その結果、ＬＥＤランプ７４およびプリズム部材７６からなる発光部７７は、取っ手６３の紙幣収納箱本体６２に収納された状態での外部に露出する露出面１０８から発光する。露出面１０８は、取っ手６３の紙幣収納箱本体６２に収納された状態での上面である。
【００５５】
ＬＥＤランプ７４は、給電されて発光するものである。図２に示すように、紙幣収納箱３５が紙幣処理装置本体５０の装填部４７に装填されてコネクタ３５ｆ，４７ｆ同士が接続されると、紙幣処理装置本体５０に設けられた図１に示す制御装置部１６が、装填された紙幣収納箱３５の発光部７７のＬＥＤランプ７４の発光を制御する。
【００５６】
制御装置部１６は、紙幣処理装置本体５０に装填された全ての紙幣収納箱３５と通信しており、全ての紙幣収納箱３５のそれぞれに設けられた図２に示す繰出検知センサ３５ｂ、ニアフル検知センサ３５ｄおよびエンプティ検知センサ３５ｅの検知結果から、全ての紙幣収納箱３５のそれぞれの状態を把握する。そして、紙幣収納箱３５のそれぞれの状態に応じて、図１１に示すＬＥＤランプ７４の発光状態を制御する。
【００５７】
ここでは、紙幣収納箱３５が設けられた引出体４６が装置主体部４５に対して出し入れされるため、制御装置部１６は、引出体４６が装置主体部４５から引き出されたとき、ＬＥＤランプ７４を発光させて、紙幣収納箱３５の取っ手６３の発光部７７を発光させる。逆に、引出体４６が装置主体部４５から引き出されなければ、ＬＥＤランプ７４を発光させることはなく、紙幣収納箱３５の取っ手６３の発光部７７も発光させることはない。
【００５８】
ＬＥＤランプ７４が、単色発光の場合、連続発光、短時間間隔点滅、長時間間隔点滅など、限られたパターンで、必要な情報を表す。
【００５９】
例えば、指定した紙幣収納箱３５の回収時に、装置主体部４５から引出体４６が引き出されると、制御装置部１６は、指定された紙幣収納箱３５のＬＥＤランプ７４を連続発光させる。これにより、指定された紙幣収納箱３５の収納状態にある取っ手６３のプリズム部材７６が連続発光する。よって、取っ手６３が連続発光しているものが回収対象の紙幣収納箱３５であることになり、回収対象の紙幣収納箱３５を報知することができる。
【００６０】
また、例えば、紙幣収納箱３５に、繰り出し異常、ニアフル状態およびエンプティ状態のいずれかの異常を検知した状態で、装置主体部４５から引出体４６が引き出されると、制御装置部１６は、異常を検知した紙幣収納箱３５のＬＥＤランプ７４を短時間間隔で点滅させる。これにより、異常を検知した紙幣収納箱３５の収納状態にある取っ手６３のプリズム部材７６が短時間間隔で点滅する。よって、取っ手６３が短時間間隔で点滅しているものが異常発生の紙幣収納箱３５であることになり、異常発生の紙幣収納箱３５を報知することができる。
【００６１】
また、例えば、紙幣収納箱３５に、繰り出し異常、ニアフル状態およびエンプティ状態のいずれかの異常を検知した状態で、装置主体部４５から引出体４６が引き出されると、制御装置部１６は、異常を検知していない紙幣収納箱３５のＬＥＤランプ７４を異常を検知したものよりも長時間間隔で点滅させる。これにより、異常を検知していない紙幣収納箱３５の収納状態にある取っ手６３のプリズム部材７６が長時間間隔で点滅する。よって、取っ手６３が長時間間隔で点滅しているものが異常が発生していない紙幣収納箱３５であることになり、異常が発生していない正常な紙幣収納箱３５を報知することができる。
【００６２】
ＬＥＤランプ７４が多色発光の場合には、色と、連続発光、点滅発光の組み合わせにより、必要な情報を表す。
【００６３】
例えば、ＬＥＤランプ７４が緑色、青色、赤色の多色発光の場合、第１のパターンとして、指定した紙幣収納箱３５の回収時に、装置主体部４５から引出体４６が引き出されると、制御装置部１６は、指定された紙幣収納箱３５のＬＥＤランプ７４を緑色で連続発光させる。これにより、指定された紙幣収納箱３５の収納状態にある取っ手６３のプリズム部材７６が緑色で連続発光する。よって、取っ手６３が緑色で連続発光しているものが回収対象の紙幣収納箱３５であることになり、回収対象の紙幣収納箱３５を報知することができる。
【００６４】
この第１のパターンでは、紙幣収納箱３５に、繰り出し異常、ニアフル状態およびエンプティ状態のいずれかの異常を検知した状態で、装置主体部４５から引出体４６が引き出されると、制御装置部１６は、異常を検知した紙幣収納箱３５のＬＥＤランプ７４を赤色発光で発光させる。これにより、異常を検知した紙幣収納箱３５の収納状態にある取っ手６３のプリズム部材７６が赤色発光する。よって、取っ手６３が赤色発光しているものが異常発生の紙幣収納箱３５であることになり、異常発生の紙幣収納箱３５を報知することができる。その際に、連続発光・点滅で、種々の異常を切り分けて報知する。例えば、繰り出し異常の場合、ＬＥＤランプ７４およびプリズム部材７６を赤色で連続発光させ、ニアフル状態の場合、ＬＥＤランプ７４およびプリズム部材７６を赤色で短時間間隔で点滅させ、エンプティ状態の場合、ＬＥＤランプ７４およびプリズム部材７６を赤色で長時間間隔で点滅させる。
【００６５】
つまり、繰出検知センサ３５ｂの検知結果から繰り出し異常があれば、その紙幣収納箱３５のＬＥＤランプ７４を発光させる。ニアフル検知センサ３５ｄの検知結果から、収納している紙幣が満杯に近いニアフル状態にあれば、その紙幣収納箱３５のＬＥＤランプ７４を、繰り出し異常とは異なる形態で発光させる。エンプティ検知センサ３５ｅの検知結果から、収納している紙幣がエンプティ状態にあれば、その紙幣収納箱３５のＬＥＤランプ７４を、繰り出し異常およびニアフル状態とは異なる形態で発光させる。
【００６６】
この第１のパターンでは、紙幣収納箱３５に、繰り出し異常、ニアフル状態およびエンプティ状態のいずれかの異常を検知した状態で、装置主体部４５から引出体４６が引き出されると、制御装置部１６は、異常を検知していない紙幣収納箱３５のＬＥＤランプ７４を青色で連続発光させる。これにより、異常を検知していない紙幣収納箱３５の収納状態にある取っ手６３のプリズム部材７６が青色で連続発光する。よって、取っ手６３が青色で連続発光しているものが異常が発生していない紙幣収納箱３５であることになり、異常が発生していない正常な紙幣収納箱３５を報知することができる。その際に、連続発光・点滅で、収納金種を切り分けて報知する。例えば、万円券収納用の紙幣収納箱３５のＬＥＤランプ７４およびプリズム部材７６を青色で連続発光させ、五千円券収納用の紙幣収納箱３５のＬＥＤランプ７４およびプリズム部材７６を青色で短時間間隔で点滅させ、千円券収納用の紙幣収納箱３５のＬＥＤランプ７４およびプリズム部材７６を青色で長時間間隔で点滅させる。
【００６７】
つまり、繰出検知センサ３５ｂの検知結果から繰り出し異常がなく、ニアフル検知センサ３５ｄの検知結果から、収納している紙幣が満杯に近いニアフル状態になく、エンプティ検知センサ３５ｅの検知結果から、収納している紙幣がエンプティ状態にない紙幣収納箱３５は、そのＬＥＤランプ７４を、繰り出し異常、ニアフル状態およびエンプティ状態とは異なる形態で発光させる。
【００６８】
例えば、ＬＥＤランプ７４が緑色、青色、赤色の多色発光の場合、第２のパターンとして、紙幣収納箱３５に、繰り出し異常、ニアフル状態およびエンプティ状態のいずれかの異常を検知した状態で、装置主体部４５から引出体４６が引き出されると、制御装置部１６は、異常を検知した紙幣収納箱３５のＬＥＤランプ７４およびプリズム部材７６を、異常に応じた色で点灯または点滅させる。例えば、繰り出し異常の場合、ＬＥＤランプ７４およびプリズム部材７６を赤色で点灯または点滅させ、ニアフル状態の場合、ＬＥＤランプ７４およびプリズム部材７６を緑色で点灯または点滅させ、エンプティ状態の場合、ＬＥＤランプ７４およびプリズム部材７６を青色で点灯または点滅させる。
【００６９】
つまり、繰出検知センサ３５ｂの検知結果から繰り出し異常があれば、その紙幣収納箱３５のＬＥＤランプ７４を発光させる。ニアフル検知センサ３５ｄの検知結果から、収納している紙幣が満杯に近いニアフル状態にあれば、その紙幣収納箱３５のＬＥＤランプ７４を、繰り出し異常とは異なる形態で発光させる。エンプティ検知センサ３５ｅの検知結果から、収納している紙幣がエンプティ状態にあれば、その紙幣収納箱３５のＬＥＤランプ７４を、繰り出し異常およびニアフル状態とは異なる形態で発光させる。
【００７０】
この第２のパターンでは、紙幣収納箱３５に、繰り出し異常、ニアフル状態およびエンプティ状態のいずれかの異常を検知した状態で、装置主体部４５から引出体４６が引き出されると、制御装置部１６は、異常を検知していない紙幣収納箱３５のＬＥＤランプ７４については消灯状態を維持する。
【００７１】
つまり、繰出検知センサ３５ｂの検知結果から繰り出し異常がなく、ニアフル検知センサ３５ｄの検知結果から、収納している紙幣が満杯に近いニアフル状態になく、エンプティ検知センサ３５ｅの検知結果から、収納している紙幣がエンプティ状態にない紙幣収納箱３５は、そのＬＥＤランプ７４の発光形態を、繰り出し異常、ニアフル状態およびエンプティ状態とは異なる消灯状態とする。
【００７２】
なお、いずれにおいても、紙幣収納箱３５の可動の取っ手６３が操作者によって起こされると、端面１１１がＬＥＤランプ７４からの光の入射方向に対して傾斜することになり、入射された光が傾斜面１０４側に進行することはなくなる。その結果、取っ手６３のプリズム部材７６は発光しない状態となる。また、紙幣収納箱３５が紙幣処理装置本体５０から取り出され始めると、コネクタ３５ｆ，４７ｆの接続が解除されて、ＬＥＤランプ７４は電源電圧の供給が絶たれた状態となって発光しなくなり、取っ手６３のプリズム部材７６も発光しなくなる。この場合、紙幣収納箱３５が紙幣処理装置本体５０に戻されて装填され始めると、コネクタ３５ｆ，４７ｆが接続されて、ＬＥＤランプ７４は電源電圧が供給される状態となって発光可能になり、取っ手６３のプリズム部材７６も発光可能になる。
【００７３】
また、いずれにおいても、ＬＥＤランプ７４の発光開始後、所定時間経過したらＬＥＤランプ７４の発光を自動停止するようにしても良い。その場合、異常がない場合に限り、ＬＥＤランプ７４の発光開始後、所定時間経過したらＬＥＤランプ７４の発光を自動停止するようにしても良い。
【００７４】
以上に述べた紙幣収納箱３５は、取っ手６３に設けられた発光部７７のプリズム部材７６の発光状態によってその状態を報知可能となる。したがって、一目で見ただけで、その状態を把握できるようになり、状態確認が容易となる。その結果、報知された情報から、紙幣収納箱３５の状態を把握し、適切な処置を行うことができる。しかも、発光部７７のプリズム部材７６が取っ手６３に設けられているため、報知が見逃されてしまう可能性を低減できる。よって、紙幣収納箱３５の状態を把握させながら、取り出しを行わせることができる。
【００７５】
また、発光部７７のプリズム部材７６が、取っ手６３の紙幣収納箱本体６２に収納された状態での露出面１０８から発光するため、取っ手６３を紙幣収納箱本体６２から突出させなくても状態を確認できる。したがって、状態確認が一層容易となる。
【００７６】
また、発光部７７は、取っ手６３に設けられたプリズム部材７６が、紙幣収納箱本体６２に設けられたＬＥＤランプ７４からの光を入射させて発光するため、比較的広範囲を発光させても電力消費を抑制することができる。
【００７７】
また、発光部７７は、取っ手６３の一方の基端延出部７１、連結部７３および他方の基端延出部７２に連続的に埋設されたプリズム部材７６が、紙幣収納箱本体６２に設けられたＬＥＤランプ７４からの光を入射させて発光するため、取り出し時に把持される連結部７３が発光することになる。これにより、報知が見逃されてしまう可能性を一層低減できる。
【００７８】
また、引出体４６が装置主体部４５から引き出されたとき、発光部７７によって、紙幣収納箱３５の状態を示す発光がなされるため、消費電力を抑制した上で、適宜適切な処理をすべき紙幣収納箱３５を容易に識別できる。
【００７９】
また、異常のない紙幣収納箱３５についても、発光部７７の発光状態を確認することで、容易に識別できる。
【００８０】
以上に述べた紙幣収納箱３５を備えた紙幣処理装置１１は、紙幣処理装置本体５０の制御装置部１６が、装填された紙幣収納箱３５の取っ手６３に設けられた発光部７７の発光状態を制御する。これにより、取っ手６３に設けられた発光部７７の発光状態によって、紙幣収納箱３５の状態を報知可能となる。したがって、紙幣収納箱３５の状態確認が容易となる。しかも、発光部７７が取っ手６３に設けられているため、報知が見逃されてしまう可能性を低減できる。
【００８１】
以上に述べた実施形態を以下のように変更することも可能である。
【００８２】
実施形態では、紙幣収納箱３５の状態検知として、繰り出し不良と、エンプティ状態と、ニアフル状態とを検知する場合を例にとり説明したが、これらに加えて、紙幣収納箱３５に収納している紙幣が満杯のフル状態と、収納状態の不良、繰り出し不良以外のジャム、誤別収納可能性等を検知して、発光部７７で報知することもできる。勿論、発光部７７で報知する内容は適宜選択することができる。
【００８３】
実施形態では、貨幣処理装置としての紙幣処理装置１１を例にとり説明したが、貨幣としての硬貨を処理する硬貨処理装置およびこれが備える貨幣収納箱としての硬貨収納箱に対して、実施形態の構成を適用することも可能である。
【００８４】
実施形態では、取っ手６３は、紙幣収納箱本体６２の上面の収納凹部６６内に収納（埋没）されたり、紙幣収納箱本体６２の上面から上方に突出したりするように、紙幣収納箱本体６２に対し揺動するが、これに限らない。
【００８５】
例えば、特許文献１に記載された装置のように、貨幣収納箱の取っ手が、貨幣収納箱本体の外枠側方を起端部として揺動する方式であっても良い。この場合、起端部に対向するように発光部を設けにくいので、起端部近傍の取っ手の内側（貨幣収納箱本体の側面側）に、貨幣収納箱本体の側面に対向する受光面を設け、貨幣収納箱本体の側面の光源から受光面に入射された光を、直ちに取っ手の伸びる方向に９０度反射させる反射面を設けることで、取っ手内のプリズム体に、光を伝達させるようにすれば良い。
【００８６】
また、特許文献２に記載された装置のように、貨幣収納箱の取っ手が、揺動しない固定タイプのものであっても良い。つまり、取っ手が、貨幣収納箱本体に対して揺動可能、または固定のいずれであっても、貨幣収納箱が所定の状態になったとき、取っ手に設けられた発光部が、これを報知することができれば良い。
【００８７】
さらには、特開平１１−１５４２５９号公報に記載された装置のように、取っ手が、揺動式ではなく、上方にスライドして貨幣収納箱本体の上面から上方に突出するように設けたスライド式であっても良い。この場合、取っ手が下方にスライドして貨幣収納箱本体の上面に収納されているときの、取っ手の露出する上面から発光するように発光部を設ける。
【００８８】
さらには、特許文献１あるいは特開２０１０−２１１３４０号公報に記載された装置のように、貨幣収納箱の取っ手が、貨幣収納箱の外枠側方を起端部として揺動する方式の場合、光源を貨幣収納箱外方のスタッカ支持装置側に設け、取っ手の外側に受光面を設け、スタッカ支持装置側の光源からの発光を受けて、取っ手内のプリズム体に、光を伝達させても良い。
【００８９】
さらには、貨幣処理装置に、貨幣を収納する貨幣収納箱が一つのみ設けられていても良い。
【００９０】
実施形態の第１の態様は、貨幣を収納する貨幣収納箱本体と取っ手とを備えた貨幣収納箱であって、前記取っ手は、一端側が前記貨幣収納箱本体に連結された一対の基端延出部と、これら基端延出部の他端側同士を結ぶ連結部とを有しており、一方の前記基端延出部に埋設される第１発光部および前記連結部に埋設される第２発光部を有し、これら第１発光部および第２発光部が連続的に設けられると共に、前記第２発光部の前記第１発光部とは反対側に連続的に設けられて他方の前記基端延出部に埋設される第３発光部を有するプリズム部材と、前記第１発光部の前記第２発光部とは反対側の端面に対向する光源と、を備え、前記プリズム部材は、前記光源の光を前記端面から入射させ、前記第１発光部の前記第２発光部側の先端部に設けられた傾斜面で反射させ、前記第３発光部の前記第２発光部側の先端部に設けられた傾斜面で反射させて、前記第１発光部、前記第２発光部および前記第３発光部を発光させることを特徴とする。
【００９１】
上記第１の態様によれば、取っ手に設けられた発光部の発光状態によって貨幣収納箱の状態を報知可能となる。したがって、状態確認が容易となる。しかも、発光部が取っ手に設けられているため、報知が見逃されてしまう可能性を低減できる。
【００９２】
実施形態の第２の態様は、第１の態様において、前記取っ手は、前記一対の基端延出部の前記一端側が前記貨幣収納箱本体に回転可能に連結されることにより、前記貨幣収納箱本体に対し収納および突出可能に設けられていることを特徴とする。
【００９３】
実施形態の第３の態様は、第２の態様において、前記プリズム部材は、前記取っ手の前記貨幣収納箱本体に収納された状態での露出面から発光することを特徴とする。
【００９４】
上記第３の態様によれば、プリズム部材が、取っ手の貨幣収納箱本体に収納された状態での露出面から発光するため、取っ手を貨幣収納箱本体から突出させなくても状態を確認できる。したがって、状態確認が一層容易となる。
【００９５】
実施形態の第４の態様は、第１乃至第３のいずれか一の態様の貨幣収納箱と、前記貨幣収納箱が装填され、装填された前記貨幣収納箱の前記プリズム部材の発光を制御する貨幣処理装置本体とを有することを特徴とする。
【００９６】
上記第４の態様によれば、貨幣処理装置本体が、装填された貨幣収納箱の取っ手に設けられた発光部の発光状態を制御すると、取っ手に設けられた発光部の発光状態によって、貨幣収納箱の状態を報知可能となる。したがって、貨幣収納箱の状態確認が容易となる。しかも、発光部が取っ手に設けられているため、報知が見逃されてしまう可能性を低減できる。
【符号の説明】
【００９７】
１１  紙幣処理装置（貨幣処理装置）
３５  紙幣収納箱（貨幣収納箱）
５０  紙幣処理装置本体（貨幣処理装置本体）
６２  紙幣収納箱本体（貨幣収納箱本体）
６３  取っ手
７１，７２  一対の基端延出部
７３  連結部
７４  ＬＥＤランプ（光源）
７６  プリズム部材
１０８  露出面
【図１】
2020198126.tif 000003
【図２】
2020198126.tif 000004
【図３】
2020198126.tif 000005
【図４】
2020198126.tif 000006
【図５】
2020198126.tif 000007
【図６】
2020198126.tif 000008
【図７】
2020198126.tif 000009
【図８】
2020198126.tif 000010
【図９】
2020198126.tif 000011
【図１０】
2020198126.tif 000012
【図１１】
2020198126.tif 000013
【図１２】
2020198126.tif 000014
【図１３】
2020198126.tif 000015
【図１４】
2020198126.tif 000016